(57)【特許請求の範囲】
【請求項１】
連続状シートを収納する収納部と、
前記収納部の開口を開閉する蓋体と、
前記収納部から引き出される前記連続状シートに印字を行う印字ヘッドと、
前記印字ヘッドの近接対向位置で前記連続状シートの裏面を案内するプラテンと、
前記蓋体に回動自在に設けられ、その一端側に前記プラテンを有するプラテン支持体と、
前記蓋体の開閉に伴い、前記プラテン支持体の他端側と係合して前記プラテン支持体の一端側を背反方向に回動させるガイド部材であって、前記プラテンを、前記蓋体の開操作に伴って前記近接対向位置から後退させ、且つ、前記蓋体の閉操作に伴って前記近接対向位置に向けて前進させるものと、
を備えることを特徴とするプリンタ。
【請求項２】
前記印字ヘッドと前記プラテンとの間に単票シートを導入し、且つ、印字した前記単票シートを排出する単票シート搬送路と、印字した前記単票シートと前記連続状シートとを分岐案内する排紙分岐体とを更に備え、前記ガイド部材が、前記排紙分岐体の近傍に配置されていることを特徴とする請求項１に記載のプリンタ。
【請求項３】
前記プラテン支持体の一端側に設けられ、プリンタ内部側に設けられる駆動搬送ローラとの間で前記連続状シートを搬送する従動搬送ローラを更に備え、そのローラ支軸が、側面視で前記プラテン支持体の回動中心および前記駆動搬送ローラの回転中心を通る仮想線よりも前記印字ヘッド寄りに配置されていることを特徴とする請求項１又は２に記載のプリンタ。
【請求項４】
前記プラテンは、前記プラテン支持体に一体的に設けられていることを特徴とする請求項１〜３の何れかに記載のプリンタ。
【請求項５】
前記プラテン支持体は、前記蓋体の下面側に付勢されていることを特徴とする請求項１〜４の何れかに記載のプリンタ。
【請求項６】
連続状シートを収納する収納部を有する筐体と、
前記収納部の開口を開閉する蓋体と、
前記収納部から引き出される前記連続状シートに印字を行う印字ヘッドと、
前記蓋体に回動自在に設けられ、前記印字ヘッドの近接対向位置で前記連続状シートの裏面を案内する可動プラテンと、
前記蓋体の開閉に伴い、前記可動プラテンの固定端側と係合して前記可動プラテンの自由端側を背反方向に回動させるガイド部材とを備え、
前記可動プラテンは、前記蓋体の開操作に伴って前記近接対向位置から後退し、且つ、前記蓋体の閉操作に伴って前記近接対向位置に向けて前進することを特徴とするプリンタ。
【請求項７】
前記印字ヘッドは、前記連続状シート及び単票シートに印字可能であって、
前記筐体側における前記印字ヘッドの下流位置に設けられ、前記連続状シートと前記単票シートとを分岐させる分岐体を更に備え、
前記ガイド部材が、前記分岐体の近傍に配置されていることを特徴とする請求項６に記載のプリンタ。
【請求項８】
前記可動プラテンの自由端側に設けられ、前記筐体側に設けられる駆動搬送ローラとの間で前記連続状シートを搬送する従動搬送ローラを更に備え、当該従動搬送ローラの支軸が、側面視で、前記可動プラテンの回動中心及び前記駆動搬送ローラの回転中心を通る仮想線よりも前記印字ヘッド寄りに配置されていることを特徴とする請求項６又は７に記載のプリンタ。
【請求項９】
前記蓋体の開閉に伴い、前記従動搬送ローラが前記駆動搬送ローラを乗り越えることを許容する融通手段を更に備えることを特徴とする請求項３又は８に記載のプリンタ。
【発明の詳細な説明】
【０００１】
【発明の属する技術分野】
本発明は、ロール紙等の連続状シートに印字を行うプリンタに関し、特に、蓋体の開操作に伴い、プラテンを印字ヘッドの近接対向位置から退避させるプリンタに関する。
【０００２】
【従来の技術】
内部にロール紙を収納する収納部を備え、該収納部からロール紙を引き出して印字を行うプリンタが知られている。この種のプリンタにおいては、ロール紙を交換した際に、収納部から手動でロール紙を引き出すと共に、引き出したロール紙を所定の紙搬送路に沿ってセットする必要があるため、紙搬送路の一側を形成するプラテンや従動搬送ローラを、収納部の開口を開閉する蓋体側に取付けることが提唱される。つまり、このものでは、ロール紙を交換すべく蓋体を開くと、プラテンや従動搬送ローラが蓋体と共に退避して紙搬送路が開放されるので、ロール紙を紙搬送路に容易に沿わせることができる。
【０００３】
【発明が解決しようとする課題】
しかしながら、前記プラテンの退避移動方向に空間が無いプリンタにおいては、プラテンを蓋体と共に退避させることができず、例えば、ロール紙と共に単票紙にも印字を行うことが可能なプリンタでは、プラテンの上方近傍に排紙分岐体が配置されており、この排紙分岐体がプラテンの退避移動を阻害する不都合がある。
【０００４】
そこで、特開２０００−１１８０６４号公報に示す如く、前記プラテンを、蓋体の開操作に伴って印字ヘッド近接対向位置から後退させ、且つ、蓋体の閉操作に伴って印字ヘッド近接対向位置に向けて前進させる動作を付加することにより、排紙分岐体等のプリンタ内部部材との干渉を回避しつつプラテンを蓋体と共に退避させることが提案されているが、上記公報のものでは、プラテンを印字ヘッド近接対向位置から後退させるために、大掛かりなスライド機構を採用しているので、下記に示すような問題点がある。
（１）スライド機構の摺動抵抗によって蓋体の円滑な開閉が阻害される可能性がある。
（２）大掛かりなスライド機構を内装することによりプリンタの大型化を招く。
（３）スライド機構をロール紙収納部の上方から退避させるために、蓋体を外方に大きく開放させなければならず、プリンタの周囲に広いスペースが必要になる。
【０００５】
従って、本発明の目的は、蓋体の開操作時に、プリンタ内部部材との干渉を回避しつつプラテンを蓋体と共に退避させるものでありながら、蓋体の円滑な開閉を阻害したり、プリンタの大型化を招くことがなく、しかも、プリンタの周囲に広いスペースを必要としないプリンタを提供することにある。
【０００６】
【課題を解決するための手段】
上記目的を達成するため本発明のプリンタは、連続状シートを収納する収納部と、前記収納部の開口を開閉する蓋体と、前記収納部から引き出される前記連続状シートに印字を行う印字ヘッドと、前記印字ヘッドの近接対向位置で前記連続状シートの裏面を案内するプラテンと、前記蓋体に回動自在に設けられ、その一端側に前記プラテンを有するプラテン支持体と、前記蓋体の開閉に伴い、前記プラテン支持体の他端側と係合して前記プラテン支持体の一端側を背反方向に回動させるガイド部材であって、前記プラテンを、前記蓋体の開操作に伴って前記近接対向位置から後退させ、且つ、前記蓋体の閉操作に伴って前記近接対向位置に向けて前進させるものとを備えて構成される。
【０００７】
また、前記印字ヘッドと前記プラテンとの間に単票シートを導入し、且つ、印字した前記単票シートを排出する単票シート搬送路と、印字した前記単票シートと前記連続状シートとを分岐案内する排紙分岐体とを更に備え、前記ガイド部材が、前記排紙分岐体の近傍に配置されていることが好ましい。この場合においては、プラテンの干渉回避対象である排紙分岐体の近傍にガイド部材を配置することにより、プラテン支持体を可及的に小さくすることができる許りでなく、連続状シートの交換等に際してガイド部材が邪魔になる不都合を回避することができる。
【０００８】
また、前記プラテン支持体の一端側に設けられ、プリンタ内部側に設けられる駆動搬送ローラとの間で前記連続状シートを搬送する従動搬送ローラを更に備え、そのローラ支軸が、側面視で前記プラテン支持体の回動中心および前記駆動搬送ローラの回転中心を通る仮想線よりも前記印字ヘッド寄りに配置されていることが好ましい。この場合においては、駆動搬送ローラおよび駆動搬送ローラを利用してプラテンを印字ヘッドに押し付けることができると共に、プラテンの位置決めを行うことができ、これにより、専用のプラテン押圧部材やプラテン位置決め部材を設ける場合に比して部品点数の削減や構造の簡略化を図ることができる。
【０００９】
また、前記蓋体の開閉に伴い、前記従動搬送ローラが前記駆動搬送ローラを乗り越えることを許容する融通手段を更に備えることが好ましい。この場合においては、従動搬送ローラが駆動搬送ローラを乗り越える際の荷重を軽減できるため、乗り越え時に部材の変形や破損が生じたり、蓋体の円滑な開閉を阻害する不都合を回避することができる。
【００１０】
【発明の実施の形態】
以下、本発明の一実施形態を図面に沿って説明する。図１は本発明の一実施形態に係るプリンタユニットの蓋フレーム閉状態を示す側面図、図２はプリンタユニットの蓋フレーム開状態を示す側面図、図３はロール紙搬送路および単票紙搬送路を示す概略側面図である。
【００１１】
プリンタユニット１０は、移動式の印字ヘッド１１等と共にプリンタ筐体に組み込まれてプリンタ（図示せず）を構成する。このプリンタは、ロール紙（連続状シート）Ｐ１を収納するロール紙収納部１２と、単票紙（カット紙、スリップ紙等の単票シート）Ｐ２を挿入する単票給紙口（図示せず）とを有し、ロール紙収納部１２から供給されるロール紙Ｐ１および単票給紙口から供給される単票紙Ｐ２が共通の印字位置１３を通って搬送されるようにロール紙搬送路および単票紙搬送路が構成されている。印字位置１３には、印字ヘッド１１とプラテン１４とが近接対向するように配置されており、さらに、印字位置１３の上流側および下流側には、プラテン１４と所定間隔を存して並列する給紙案内板１５および排紙分岐板１６が配置されている。
【００１２】
ロール紙Ｐ１は、ロール紙収納部１２から引き出されて駆動搬送ローラ１７と従動搬送ローラ１８との間を通ると共に、給紙案内板１５とプラテン１４との間を通って印字位置１３に至り、さらに、プラテン１４と排紙分岐板１６との間を通って排紙分岐板１６の裏側に抜け、ここからプリンタ上方に排出される。一方、単票紙Ｐ２は、搬送ローラ１９、２０の間を通ると共に、給紙案内板１５の表側を通って印字位置１３に至り、さらに、排紙分岐板１６の表側を通ってプリンタ上方に排出される。
【００１３】
図４は、プリンタユニットの蓋フレーム閉状態を示す斜視図、図５は、プリンタユニットの蓋フレーム開状態を示す斜視図である。これらの図に示されるように、プリンタユニット１０は、正面視凵字状に曲げ形成されたユニットフレーム２１を備える。ユニットフレーム２１の内部には、前記ロール紙収納部１２を形成する樹脂製のロール紙保持部材２２が設けられ、ユニットフレーム２１の上部に形成される開口２１ａを介してロール紙Ｐ１の交換等が行われる。この開口２１ａは、蓋カバー（図示せず）と共にロール紙収納部１２の蓋体を構成する蓋フレーム２３によって開閉される。蓋フレーム２３は、左右一対の側板２３ａと、該側板２３ａ同志を一体的に連結する天板２３ｂとで形成され、その後端部は、ユニットフレーム２１の上端突出部に架設される回動支軸２４によって上下回動自在に支持されている。蓋フレーム２３の開閉は、閉位置に達したとき、蓋フレーム２３の先端部に設けられるロックレバー２５によって自動的にロックされ、そのロックは、ロックレバー２５の操作部２５ａを上方に操作することによって解除される。このロック機構は、公知の技術を採用しているため、詳細な説明は省略する。
【００１４】
図６は、蓋フレーム閉状態を示す要部斜視図、図７は蓋フレーム開状態を示す要部斜視図である。これらの図にも示されるように、蓋フレーム２３の先端部には、さらにプラテン支持体２６が設けられている。プラテン支持体２６は、蓋フレーム２３の先端部間に架設される回動支軸２７によって前後回動自在に支持されている。プラテン支持体２６は、回動支軸２７が貫挿される回動支持部２６ａと、該回動支持部２６ａから下方に延出するプラテン支持部２６ｂと、回動支持部２６ａから上方に延出する左右一対の係合部２６ｃとを一体的に有している。プラテン支持部２６ｂの先端部前側には、前記プラテン１４が一体的に設けられ、先端部下側には、ローラ支軸２８を介して前記従動搬送ローラ１８が回転自在に設けられている。また、プラテン支持部２６ｂは、図示しない後退用弾機によって蓋フレーム２３の下面側に付勢されている。これにより、蓋フレーム２３が開位置にあるときは、プラテン支持部２６ｂが蓋フレーム２３の下面に沿う姿勢に保持される。一方、ユニットフレーム２１の前側上端部、つまり、前記排紙分岐板１６の上方近傍には、蓋フレーム２３の開閉に伴ってプラテン支持体２６の相対回動姿勢を変化させる軸状のガイド部材２９が架設されている。
【００１５】
次に、蓋フレーム２３の開閉に伴うプラテン支持体２６の動作を説明する。図２、図５および図７に示すように、蓋フレーム２３が全開位置にあるときは、後退用弾機の付勢力によってプラテン支持体２６が蓋フレーム２３の下面に沿う姿勢に保持され、ロール紙収納部１２の上方が広く開放される。また、プラテン１４および従動搬送ローラ１８が蓋フレーム２３と共に退避することによってロール紙搬送路の一側が開放される。この状態でロール紙Ｐ１の収納を行うと共に、ロール紙収納部１２からロール紙Ｐ１を引き出してロール紙搬送路に沿わせる。
【００１６】
ロール紙Ｐ１を収納した後、蓋フレーム２３を閉操作すると、全閉位置の手前でプラテン支持体２６の係合部２６ｃがガイド部材２９に係合する。さらに蓋フレーム２３を閉側に押すと、ガイド部材２９によって下動が規制される係合部２６ｃは、蓋フレーム２３に対して後退方向に相対回動し、それに伴ってプラテン支持部２６ｂを後退用弾機の付勢力に抗して背反的に前進方向に相対回動させる。これによってプラテン支持部２６ｂは、蓋フレーム２３と共に下動しながら前進方向に回動し、排紙分岐板１６の下側空間に進入する。そして、蓋フレーム２３がロックレバー２５による自動ロック位置（全閉位置）に達すると、プラテン支持部２６ｂの先端部に設けられるプラテン１４が印字ヘッド１１の近接対向位置に至り、プリンタが印字可能な状態となる。（図１、図４および図６）。
【００１７】
また、蓋フレーム２３が閉じた状態でロックレバー２５の操作部２５ａを上方に引き操作すると、蓋フレーム２３の開操作が可能になる。蓋フレーム２３を開方向に引くと、プラテン支持体２６の係合部２６ｃが前記閉操作時と逆の作用によって前進方向に相対回動し、それに伴ってプラテン支持部２６ｂを背反的に後退方向に相対回動させる。これによってプラテン支持部２６ｂは、蓋フレーム２３と共に上動しながら後退方向に回動し、排紙分岐板１６の下側空間から退避する。そして、係合部２６ｃがガイド部材２９から離れた時点でプラテン支持部２６ｂの相対回動が終り、以降は蓋フレーム２３と一体的に回動して前記全開状態となる。
【００１８】
図８は、従動搬送ローラの配置を示す概略側面図である。この図に示されるように、従動搬送ローラ１８のローラ支軸２８は、側面視において、プラテン支持体２６の回動中心および駆動搬送ローラ１７の回転中心を通る仮想線Ａよりも印字ヘッド１１寄りに配置されている。換言すると、両搬送ローラ１７、１８の接点を通るローラ接線Ｂが印字ヘッド１１側に傾斜しており、これによって従動搬送ローラ１８の後退方向の逃げが規制されると共に、従動搬送ローラ１８に前進方向の押圧力を作用させることが可能になり、延ては、従動搬送ローラ１８と共にプラテン支持体２６に設けられるプラテン１４を、両搬送ローラ１７、１８を利用して位置決めし、且つ、印字ヘッド１１に押し付けることが可能になる。ローラ支軸２８を上記の位置に配置した場合、従動搬送ローラ１８には、蓋フレーム２３の開閉に際して駆動搬送ローラ１７を乗り越えることが要求される。そのため、ローラ支軸２８は、プラテン支持体２６に対し、長孔２６ｄ（融通手段）を介して上下動自在に支持されると共に、図示しない弾機によって下方に付勢されている。
【００１９】
以上の如く、本実施形態のプリンタユニット１０は、連続状シートであるロール紙Ｐ１を収納するロール紙収納部１２と、ロール紙収納部１２の開口２１ａを開閉する蓋フレーム２３と、ロール紙収納部１２から引き出されるロール紙Ｐ１に印字を行う印字ヘッド１１と、印字ヘッド１１の近接対向位置でロール紙Ｐ１の裏面を案内するプラテン１４と、蓋フレーム２３に回動自在に設けられ、そのプラテン支持部２６ｂにプラテン１４を有するプラテン支持体２６と、蓋フレーム２３の開閉に伴い、プラテン支持体２６の係合部２６ｃと係合してプラテン支持部２６ｂを背反方向に回動させるガイド部材２９とを備え、このガイド部材２９は、プラテン１４を、蓋フレーム２３の開操作に伴って印字ヘッド１１の近接対向位置から後退させ、且つ、蓋フレーム２３の閉操作に伴って前記近接対向位置に向けて前進させることになる。これにより、蓋フレーム２３の開操作時に、プリンタ内部部材との干渉を回避しつつプラテン１４を蓋フレーム２３と共に退避させるものでありながら、スライド機構を用いてプラテン１４を進退させるもののように、蓋フレーム２３の円滑な開閉を阻害したり、プリンタの大型化を招くことがなく、しかも、プリンタの周囲に広いスペースを必要としないものにできる。
【００２０】
また、印字ヘッド１１とプラテン１４との間に単票紙Ｐ２を導入し、且つ、印字した単票紙Ｐ２を排出する単票紙搬送路と、印字した単票紙Ｐ２とロール紙Ｐ１とを分岐案内する排紙分岐板１６とを更に備え、前記ガイド部材２９が、排紙分岐板１６の近傍に配置されている。つまり、プラテン１４の干渉回避対象である排紙分岐板１６の近傍にガイド部材２９を配置することにより、プラテン支持体２６を可及的に小さくすることができる許りでなく、ロール紙Ｐ１の交換等に際してガイド部材２９が邪魔になる不都合を回避することができる。
【００２１】
また、プラテン支持体２６のプラテン支持部２６ｂに設けられ、プリンタ内部側に設けられる駆動搬送ローラ１７との間でロール紙Ｐ１を搬送する従動搬送ローラ１８を更に備え、そのローラ支軸２８が、側面視でプラテン支持体２６の回動中心および駆動搬送ローラ１７の回転中心を通る仮想線Ａよりも印字ヘッド１１寄りに配置されているので、駆動搬送ローラ１７および従動搬送ローラ１８を利用してプラテン１４を印字ヘッド１１に押し付けることができると共に、プラテン１４の位置決めを行うことができ、これにより、専用のプラテン押圧部材やプラテン位置決め部材を設ける場合に比して部品点数の削減や構造の簡略化を図ることができる。
【００２２】
また、蓋フレーム２３の開閉に伴い、従動搬送ローラ１８が駆動搬送ローラ１７を乗り越えることを許容する長孔２６ｄを更に備えるので、従動搬送ローラ１８が駆動搬送ローラ１７を乗り越える際の荷重を軽減でき、その結果、乗り越え時に部材の変形や破損が生じたり、蓋フレーム２３の円滑な開閉を阻害する不都合を回避することができる。
【００２３】
以上、本発明の一実施形態を図面に沿って説明したが、本発明は前記実施形態において示された事項に限定されず、特許請求の範囲及び発明の詳細な説明の記載、並びに周知の技術に基づいて、当業者がその変更・応用を行うことができる範囲が含まれる。
【００２４】
【発明の効果】
以上の如く本発明によれば、蓋体の開操作時に、プリンタ内部部材との干渉を回避しつつプラテンを蓋体と共に退避させるものでありながら、蓋体の円滑な開閉を阻害したり、プリンタの大型化を招くことがなく、しかも、プリンタの周囲に広いスペースを必要としないものにできる。
【図面の簡単な説明】
【図１】プリンタユニットの蓋フレーム閉状態を示す側面図である。
【図２】プリンタユニットの蓋フレーム開状態を示す側面図である。
【図３】ロール紙搬送路および単票紙搬送路を示す概略側面図である。
【図４】プリンタユニットの蓋フレーム閉状態を示す斜視図である。
【図５】プリンタユニットの蓋フレーム開状態を示す斜視図である。
【図６】蓋フレーム閉状態を示す要部斜視図である。
【図７】蓋フレーム開状態を示す要部斜視図である。
【図８】従動搬送ローラの配置を示す概略側面図である。
【符号の説明】
Ｐ１  ロール紙
Ｐ２  単票紙
１０  プリンタユニット
１１  印字ヘッド
１２  ロール紙収納部
１４  プラテン
１５  給紙案内板
１６  排紙分岐板
１７  駆動搬送ローラ
１８  従動搬送ローラ
２１  ユニットフレーム
２１ａ  開口
２３  蓋フレーム
２６  プラテン支持体
２６ｂ  プラテン支持部
２６ｃ  係合部
２６ｄ  長孔
２７  回動支軸
２８  ローラ支軸
２９  ガイド部材
【図１】
0003741003.tif 000002
【図２】
0003741003.tif 000003
【図３】
0003741003.tif 000004
【図４】
0003741003.tif 000005
【図５】
0003741003.tif 000006
【図６】
0003741003.tif 000007
【図７】
0003741003.tif 000008
【図８】
0003741003.tif 000009